(57)【要約】【課題】ＵＶインクのように光によって硬化するインクを用いて良好な印刷結果を得る。【解決手段】所定の方向に移動しながら光によって硬化するインクをインク・ジェット・ノズルから媒体上に射出するインク・ヘッドと、上記インク・ヘッドの移動と同期して上記所定の方向に移動しながら上記媒体上に光を照射して、上記媒体上に落下した上記インクを上記媒体上において硬化させる光照射手段と、上記光照射手段が上記所定の方向に移動する速度を設定する設定手段と、上記設定手段によって設定された速度で上記光照射手段が上記所定の方向に移動するように制御する制御手段とを有する。【選択図】        図１
2005199630.tif 000002
【特許請求の範囲】
【請求項１】
所定の方向に移動しながら光によって硬化するインクをインク・ジェット・ノズルから媒体上に射出するインク・ヘッドと、
前記インク・ヘッドの移動と同期して前記所定の方向に移動しながら前記媒体上に光を照射して、前記媒体上に落下した前記インクを前記媒体上において硬化させる光照射手段と、
前記光照射手段が前記所定の方向に移動する速度を設定する設定手段と、
前記設定手段によって設定された速度で前記光照射手段が前記所定の方向に移動するように制御する制御手段と
を有するインク・ジェット・プリンタ。
【請求項２】
請求項１に記載のインク・ジェット・プリンタにおいて、さらに、
前記インクの硬化が困難な条件を満たすようにして構成された複数の印画テストパターンを示すデータを記憶する記憶手段と、
前記記憶手段に記憶された前記データの示す複数の前記印画テストパターンのいずれかを選択する選択手段と、
前記選択手段によって選択された前記印画テストパターンの印刷を指示する指示手段と
を有するインク・ジェット・プリンタ。
【請求項３】
請求項１または請求項２のいずれか１項に記載のインク・ジェット・プリンタにおいて、さらに、
前記制御手段は、前記設定手段によって設定された速度で前記光照射手段が前記所定の方向に移動するように制御するとともに、前記設定手段によって設定された速度に応じて前記インク・ジェット・ノズルから前記インクを射出するタイミングに関するパタメーターを変更する
ものであるインク・ジェット・プリンタ。
【請求項４】
所定の方向に移動しながら光によって硬化するインクをインク・ジェット・ノズルから媒体上に射出するインク・ヘッドと、
前記インク・ヘッドの移動と同期して前記所定の方向に移動しながら前記媒体上に光を照射して、前記媒体上に落下した前記インクを前記媒体上において硬化させる光照射手段と、
前記インクの硬化が困難な条件を満たすようにして構成された複数の印画テストパターンを示すデータを記憶する記憶手段と、
前記記憶手段に記憶された前記データの示す複数の前記印画テストパターンのいずれかを選択する選択手段と、
前記選択手段によって選択された前記印画テストパターンの印刷を指示する指示手段と、
前記指示手段の指示に従って前記媒体上の印刷された前記印画テストパターンの品質を判断する判断手段と、
前記判断手段の判断結果に基づいて前記光照射手段が前記所定の方向に移動する速度を変更する変更手段と、
前記変更手段によって変更された速度で前記光照射手段が前記所定の方向に移動するように制御するとともに、前記変更手段によって変更された速度に応じて前記インク・ジェット・ノズルから前記インクを射出するタイミングに関するパタメーターを変更する制御手段と
を有するインク・ジェット・プリンタ。
【請求項５】
所定の方向に移動しながら光によって硬化するインクをインク・ジェット・ノズルから媒体上に射出するインク・ヘッドと、
前記インク・ヘッドの移動と同期して前記所定の方向に移動しながら前記媒体上に光を照射して、前記媒体上に落下した前記インクを前記媒体上において硬化させる光照射手段と、
前記光照射手段の出力を検出する検出手段と、
前記検出手段によって検出された前記光照射手段の出力に対応させて前記光照射手段が前記所定の方向に移動する速度を変更する変更手段と、
前記変更手段によって変更された速度で前記光照射手段が前記所定の方向に移動するように制御するとともに、前記変更手段によって変更された速度に応じて前記インク・ジェット・ノズルから前記インクを射出するタイミングに関するパタメーターを変更する制御手段と
を有するインク・ジェット・プリンタ。
【請求項６】
所定の方向に移動しながら光によって硬化するインクをインク・ジェット・ノズルから媒体上に射出するインク・ヘッドと、
前記インク・ヘッドの移動と同期して前記所定の方向に移動しながら前記媒体上に光を照射して、前記媒体上に落下した前記インクを前記媒体上において硬化させる光照射手段と、
前記光照射手段の点灯時間を計測する計測手段と、
前記計測手段によって計測された前記光照射手段の点灯時間に対応させて前記光照射手段が前記所定の方向に移動する速度を変更する変更手段と、
前記変更手段によって変更された速度で前記光照射手段が前記所定の方向に移動するように制御するとともに、前記変更手段によって変更された速度に応じて前記インク・ジェット・ノズルから前記インクを射出するタイミングに関するパタメーターを変更する制御手段と
を有するインク・ジェット・プリンタ。
【請求項７】
請求項１、請求項２、請求項３、請求項４、請求項５または請求項６のいずれか１項に記載のインク・ジェット・プリンタにおいて、さらに、
前記インク・ヘッドの前記インク・ジェット・ノズルから射出される前記インクはＵＶインクであり、
前記光照射手段は紫外線ランプであって、
前記インク・ヘッドと前記光照射手段とは一体的に前記所定の方向に移動する
ものであるインク・ジェット・プリンタ。
【発明の詳細な説明】
【技術分野】
【０００１】
本発明は、インク・ジェット・プリンタに関し、さらに詳細には、数値制御により記録紙などの媒体上に印刷、例えば、高解像度でのカラー印刷などを行う際に用いて好適なインク・ジェット・プリンタに関する。
【０００２】
なお、本明細書において「媒体」とは、普通紙などの紙類よりなる各種の記録紙は勿論のこと、ＯＨＰシートあるいはＰＶＣシートなどのような各種の厚さの薄い媒体や各種の厚さの厚い媒体をも含むものとする。
【背景技術】
【０００３】
従来より、マイクロ・コンピューターによって全体の動作を制御され、給紙装置によって供給された記録紙上に記録紙の幅方向（なお、本明細書においては、当該記録紙の幅方向を、「走査方向」と適宜称することとする。）で移動するインク・ヘッドを用い、インク・ジェット方式により所定の印刷を行うにしたインク・ジェット・プリンタが知られている。
【０００４】
こうしたインク・ジェット・プリンタにおいては、走査方向にインク・ヘッドが移動する際の走査速度が、インク・ヘッドの吐出能力や画質、設定された印画モード、解像度などに応じた適切な速度に、予め製品の工場出荷時などに設定されているものである。
【０００５】
なお、本明細書のおいては、上記「走査方向にインク・ヘッドが移動する際の走査速度」を、「スキャン・スピード」と適宜称することとする。
【０００６】
そして、上記したようなインク・ジェット・プリンタにおいては、スキャン・スピードが予め設定されて所定の速度に固定されているので、所定の速度で走査方向に移動するインク・ヘッドのインク・ジェット・ノズルから射出されたインクの飛滴が、媒体上の所定の位置に落下して、媒体上の所定の位置にドットが形成されて、良好な印刷結果を得ることができる。
【０００７】
ここで、上記したようなインク・ジェット・プリンタにおいては、水性のインクや有機溶剤系のソルベントインクなどを用いた場合には、予め設定されたスキャン・スピードで良好な印刷結果が得られるものの、紫外線で硬化するＵＶインクを用いた場合には、新たな問題点を招来することになっていた。
【０００８】
より詳細には、ＵＶインクを使用する場合には、インク・ジェット・プリンタに配設された紫外線ランプを、インク・ヘッドと一体的に予め設定されたスキャン・スピードで走査方向に移動することで、紫外線ランプから媒体上に紫外線を照射して、媒体上に落下したＵＶインクを媒体上において硬化させて印刷が行われる。
【０００９】
こうしたＵＶインクを使用するインク・ジェット・プリンタにおいては、スキャン・スピードが紫外線ランプから媒体上に照射される紫外線の量と直接関係するものなので、ＵＶインクが硬化するのに十分な量の紫外線が紫外線ランプから媒体上に照射されるような速度に、予めスキャン・スピードが設定されている。
【００１０】
しかしながら、紫外線ランプに使用される水銀バルブは、紫外線ランプの点灯時間が１０００時間を超えると出力がおよそ７０〜８０％に低下してしまうというように、紫外線ランプの出力は経年変化によって低下するものである。
【００１１】
そして、出力が低下した状態の紫外線ランプであっても、従来のインク・ジェット・プリンタにおいては、予め設定されたスキャン・スピードで媒体上を走査するので、媒体上に十分な量の紫外線が照射されなくなり、媒体上に落下したＵＶインクが完全に硬化せず、印刷の品質が低下する恐れがあるという問題点があった。
【００１２】
また、紫外線で硬化するＵＶインクには、例えば白色のＵＶインクのように、その色彩の違いによって硬化し難い性質を有するものや、銘柄による組成の違いなどから硬化特性の異なるものがある。
【００１３】
このため、予め製品の工場出荷時などに、ＵＶインクが硬化するのに十分な量の紫外線が紫外線ランプから媒体上に照射されるようにスキャン・スピードを設定していても、実際に使用するＵＶインクの種類によっては、媒体上において完全に硬化しないこともあり、画質の低下を生起する恐れがあるという問題点があった。
【００１４】
なお、本願出願人が特許出願時に知っている先行技術は、上記において説明したようなものであって文献公知発明に係る発明ではないため、記載すべき先行技術情報はない。
【発明の開示】
【発明が解決しようとする課題】
【００１５】
本発明は、上記したような従来の技術の有する種々の問題点に鑑みてなされたものであり、その目的とするところは、ＵＶインクのように光によって硬化するインクを用いて良好な印刷結果を得ることができるようにしたインク・ジェット・プリンタを提供しようとするものである。
【課題を解決するための手段】
【００１６】
上記目的を達成するために、本発明のうち請求項１に記載の発明は、所定の方向に移動しながら光によって硬化するインクをインク・ジェット・ノズルから媒体上に射出するインク・ヘッドと、上記インク・ヘッドの移動と同期して上記所定の方向に移動しながら上記媒体上に光を照射して、上記媒体上に落下した上記インクを上記媒体上において硬化させる光照射手段と、上記光照射手段が上記所定の方向に移動する速度を設定する設定手段と、上記設定手段によって設定された速度で上記光照射手段が上記所定の方向に移動するように制御する制御手段とを有するようにしたものである。
【００１７】
従って、本発明のうち請求項１に記載の発明によれば、制御手段によって設定された速度で光照射手段が所定の方向に移動するようになるので、光照射手段によって媒体上に照射される光の量を調節して、媒体上に落下したインクを硬化させ良好な印刷結果を得ることができる。
【００１８】
また、本発明のうち請求項２に記載の発明は、請求項１に記載の発明において、さらに、上記インクの硬化が困難な条件を満たすようにして構成された複数の印画テストパターンを示すデータを記憶する記憶手段と、上記記憶手段に記憶された上記データの示す複数の上記印画テストパターンのいずれかを選択する選択手段と、上記選択手段によって選択された上記印画テストパターンの印刷を指示する指示手段とを有するようにしたものである。
【００１９】
また、本発明のうち請求項３に記載の発明は、請求項１または請求項２のいずれか１項に記載の発明において、さらに、上記制御手段は、上記設定手段によって設定された速度で上記光照射手段が上記所定の方向に移動するように制御するとともに、上記設定手段によって設定された速度に応じて上記インク・ジェット・ノズルから上記インクを射出するタイミングに関するパタメーターを変更するようにしたものである。
【００２０】
また、本発明のうち請求項４に記載の発明は、所定の方向に移動しながら光によって硬化するインクをインク・ジェット・ノズルから媒体上に射出するインク・ヘッドと、上記インク・ヘッドの移動と同期して上記所定の方向に移動しながら上記媒体上に光を照射して、上記媒体上に落下した上記インクを上記媒体上において硬化させる光照射手段と、上記インクの硬化が困難な条件を満たすようにして構成された複数の印画テストパターンを示すデータを記憶する記憶手段と、上記記憶手段に記憶された上記データの示す複数の上記印画テストパターンのいずれかを選択する選択手段と、上記選択手段によって選択された上記印画テストパターンの印刷を指示する指示手段と、上記指示手段の指示に従って上記媒体上の印刷された上記印画テストパターンの品質を判断する判断手段と、上記判断手段の判断結果に基づいて上記光照射手段が上記所定の方向に移動する速度を変更する変更手段と、上記変更手段によって変更された速度で上記光照射手段が上記所定の方向に移動するように制御するとともに、上記変更手段によって変更された速度に応じて上記インク・ジェット・ノズルから上記インクを射出するタイミングに関するパタメーターを変更する制御手段とを有するようにしたものである。
【００２１】
また、本発明のうち請求項５に記載の発明は、所定の方向に移動しながら光によって硬化するインクをインク・ジェット・ノズルから媒体上に射出するインク・ヘッドと、上記インク・ヘッドの移動と同期して上記所定の方向に移動しながら上記媒体上に光を照射して、上記媒体上に落下した上記インクを上記媒体上において硬化させる光照射手段と、上記光照射手段の出力を検出する検出手段と、上記検出手段によって検出された上記光照射手段の出力に対応させて上記光照射手段が上記所定の方向に移動する速度を変更する変更手段と、上記変更手段によって変更された速度で上記光照射手段が上記所定の方向に移動するように制御するとともに、上記変更手段によって変更された速度に応じて上記インク・ジェット・ノズルから上記インクを射出するタイミングに関するパタメーターを変更する制御手段とを有するようにしたものである。
【００２２】
また、本発明のうち請求項６に記載の発明は、所定の方向に移動しながら光によって硬化するインクをインク・ジェット・ノズルから媒体上に射出するインク・ヘッドと、上記インク・ヘッドの移動と同期して上記所定の方向に移動しながら上記媒体上に光を照射して、上記媒体上に落下した上記インクを上記媒体上において硬化させる光照射手段と、上記光照射手段の点灯時間を計測する計測手段と、上記計測手段によって計測された上記光照射手段の点灯時間に対応させて上記光照射手段が上記所定の方向に移動する速度を変更する変更手段と、上記変更手段によって変更された速度で上記光照射手段が上記所定の方向に移動するように制御するとともに、上記変更手段によって変更された速度に応じて上記インク・ジェット・ノズルから上記インクを射出するタイミングに関するパタメーターを変更する制御手段とを有するようにしたものである。
【００２３】
また、本発明のうち請求項７に記載の発明は、請求項１、請求項２、請求項３、請求項４、請求項５または請求項６のいずれか１項に記載の発明において、さらに、上記インク・ヘッドの上記インク・ジェット・ノズルから射出される上記インクはＵＶインクであり、上記光照射手段は紫外線ランプであって、上記インク・ヘッドと上記光照射手段とは一体的に上記所定の方向に移動するようにしたものである。
【発明の効果】
【００２４】
本発明によるインク・ジェット・プリンタは、ＵＶインクのように光によって硬化するインクを用いて良好な印刷結果を得ることができるようになるという優れた効果を奏する。
【発明を実施するための最良の形態】
【００２５】
以下、添付の図面に基づいて、本発明によるインク・ジェット・プリンタの実施の形態の一例を詳細に説明するものとする。
【００２６】
図１には、本発明によるインク・ジェット・プリンタの実施の形態の一例を示す概略構成説明図が示されており、図２には、図１の要部を拡大的に示した説明図が示されている。
【００２７】
なお、本発明によるインク・ジェット・プリンタにおいては、媒体としては記録紙を用いるものとする。
【００２８】
この図１に示すインク・ジェット・プリンタ１０は、基台部材１２に支持され走査方向に延長して配設された固定系のベース部材１４と、ベース部材１４の左右両端でベース部材１４に直交して配設された側方部材１６Ｌ、１６Ｒと、側方部材１６Ｒ内に配設された５つのインク・カートリッジ１８−１〜１８−５と、左右２つの側方部材１６Ｌ、１６Ｒを連結する中央壁２０と、中央壁２０の壁面に平行して走査方向に移動自在に配設されたワイヤー２２と、ワイヤー２２に固定的に配設されたインク・ヘッド・ホルダー２４と、インク・ヘッド・ホルダー２４に記録紙と対向するようにして配設された５つのインク・ヘッド２６−１〜２６−５と、インク・ヘッド・ホルダー２４に記録紙と対向するようにして５つのインク・ヘッド２６−１〜２６−５を挟み込むような位置で配設された２つの紫外線ランプ２８，３０と、側方部材１６Ｒに配設された操作子群３２とを有して構成されている。
【００２９】
なお、こうしたインク・ジェット・プリンタ１０の全体の動作は、後に詳述するようにマイクロ・コンピューター１００によって制御されている。
【００３０】
ここで、５つのインク・ヘッド２６−１〜２６−５はいずれも同一の構成を備えており、インク・ヘッド２６−１〜２６−５の下面には、インクを記録紙に対して射出する射出口としてのインク・ジェット・ノズル（図示せず）が複数個配設されている。
【００３１】
そして、インク・ヘッド２６−１〜２６−５にはそれぞれ、５つのインク・カートリッジ１８−１〜１８−５のそれぞれに収容された液体状のインクが、インク・チューブによって搬送されて供給されるものである。こうしてインク・ヘッド２６−１〜２６−５に供給されたインクがインク・ジェット・ノズルから射出され、インク・ジェット・ノズルから射出されたインクの飛滴が記録紙上に落下してドットが形成されて、所定の印刷が行われるものである。
【００３２】
なお、５つのインク・カートリッジ１８−１〜１８−５のそれぞれに収容されている液体状のインクは、紫外線で硬化するＵＶインクであり、それぞれ異なる色彩のインクである。具体的には、インク・カートリッジ１８−１からインク・ヘッド２６−１には白色のインクが供給され、インク・カートリッジ１８−２からインク・ヘッド２６−２には黒色のインクが供給され、インク・カートリッジ１８−３からインク・ヘッド２６−３には青色（シアン）のインクが供給され、インク・カートリッジ１８−４からインク・ヘッド２６−４には赤色（マゼンタ）のインクが供給され、インク・カートリッジ１８−５からインク・ヘッド２６−５には黄色（イエロー）のインクが供給されるようになされている。
【００３３】
一方、紫外線ランプ２８，３０はいずれも同一の構成を備えており、インク・ヘッド２６−１〜２６−５のインク・ジェット・ノズルから射出されるＵＶインクの飛滴が落下する記録紙上に紫外線を照射して、記録紙上においてＵＶインクを硬化させるものである。
【００３４】
ここで、ワイヤー２２に固定的に配設されたインク・ヘッド・ホルダー２４は、ワイヤー２２がモーターなどの駆動装置（図示せず）によって巻き取られて走査方向に移動すると、このワイヤー２２の移動に伴って中央壁２０の壁面に沿って走査方向に移動する。
【００３５】
このため、インク・ヘッド・ホルダー２４に固定的に配設されたインク・ヘッド２６−１〜２６−５と紫外線ランプ２８，３０とは一体的に、インク・ヘッド・ホルダー２４の移動に伴って記録紙上を走査方向に移動する。即ち、側方部材１６Ｒ側からインク・ジェット・プリンタ１０の中央を経て側方部材１６Ｌ側へと走査方向における行き方向（図２参照）で移動するとともに、側方部材１６Ｌ側からインク・ジェット・プリンタ１０の中央を経て側方部材１６Ｒ側へと走査方向における帰り方向（図２参照）で移動する。
【００３６】
このようにインク・ヘッド２６−１〜２６−５と紫外線ランプ２８，３０とは一体的に移動するので、走査方向にインク・ヘッド２６−１〜２６−５が移動する際の走査速度、即ち、スキャン・スピードは、紫外線ランプ２８，３０が走査方向に移動する速度と一致するものである。
【００３７】
そして、インク・ジェット・プリンタ１０においては、スキャン・スピードが紫外線ランプ２８，３０から記録紙上に照射される紫外線の量と直接関係するものなので、ＵＶインクが硬化するのに十分な量の紫外線が紫外線ランプ２８，３０から記録紙上に照射されるような速度に、予めスキャン・スピードが設定されている。なお、この実施の形態においては、インク・ジェット・プリンタ１０の工場出荷時などに、スキャン・スピードは、標準のスキャン・スピード（図６（ａ）（ｂ）に示す標準のスキャン・スピード（Ｓ）参照）に設定されている。
【００３８】
ここで、マイクロ・コンピューター１００は、上記したワイヤー２２を巻き取るモーターの駆動制御を含むインク・ジェット・プリンタ１０の全体の動作を制御するものである。マイクロ・コンピューター１００は、図３に示すように、後述するリード・オンリ・メモリ（ＲＯＭ）１０４に格納されたプログラムに従って処理を実行する中央処理装置（ＣＰＵ）１０２と、ＣＰＵ１０２が実行するプログラムなどを格納したプログラム記憶部１０４−１や印画テストパターン（後述する）を示すテストパターン・データを記憶するテストパターン記憶部１０４−２やスキャン・スピードを示すスキャン・スピード・データを記憶するスキャン・スピード記憶部１０４−３や各種パラメーターを示すデータを記憶するパラメーター記憶部１０４−４などが設定されたＲＯＭ１０４と、ＣＰＵ１０２の制御によってインク・ジェット・プリンタ１０が動作する際に用いられる種々のデータを記憶するインク・ジェット・プリンタ１０の動作が行われる際のワーキング・エリアとしての領域などが設定されたランダム・アクセス・メモリ（ＲＡＭ）１０６とを有して構成されている。
【００３９】
また、操作子群３２は、側方部材１６Ｒに配設されており、画面上に所定のメニューなどを表示する表示装置や、表示装置の画面の所望の位置などを選択可能な入力装置などにより構成されており、インク・ジェット・プリンタ１０を使用するユーザーの所望の指示を入力するものである。
【００４０】
なお、この実施の形態においては、操作子群３２を構成する表示装置の画面に、入力装置である板状のポインティングデバイスのタッチパネルが装着されており、表示装置の画面に表示された文字などに対応するタッチパネルの位置を、ユーザーが指やペンなどで指定することにより、指定された位置の文字などの選択ができるようになされている。
【００４１】
そして、操作子群３２の操作により行われた各種設定の内容は、マイクロ・コンピューター１００によって処理されて、本発明による印刷処理に用いられる情報としてＲＡＭ１０６の所定のエリアに記憶される。
【００４２】
ここで、図４には、操作子群３２の表示装置の画面に表示されるユーザー設定画面２００の一例を示す説明図が示されている。このユーザー設定画面２００においては、印画テストパターンを選択して設定する印画テストパターン欄２００ａと、スキャン・スピードを選択して設定するスキャン・スピード欄２００ｂと、印画テストパターンの印刷の開始を指示するか否かを選択して設定するテスト印刷開始欄２００ｃとが表示されるものである。
【００４３】
そして、ユーザー設定画面２００の印画テストパターン欄２００ａにおいて、ユーザーが操作子群３２のタッチパネルを指やペンなどで所定の位置を選択すると、マイクロ・コンピューター１００のＣＰＵ１０２の処理により、テストパターン・データ記憶部１０４−２に記憶されているテストパターン・データに基づいて、記録紙上に印画テストパターンが印刷される。
【００４４】
図５（ａ）には、テストパターン・データに基づいて記録紙上に印刷される印画テストパターンの一例を模式的に示す説明図が示されている。なお、図５（ａ）〜（ｈ）においては、異なる色彩を異なる模様などで現して印画テストパターンを模式的に示しているものである。
【００４５】
ユーザー設定画面２００の印画テストパターン欄２００ａにおいて、印画テストパターンＡ欄２００ａ−１が選択された場合には、黒色（ブラック：Ｋ）、青色（シアン：Ｃ）、赤色（マゼンタ：Ｍ）ならびに黄色（イエロー：Ｙ）の４色がそれぞれ最大濃度、即ち、１００％で単一の領域に混色となるように出力されて印画テストパターンＡ（図５（ｂ）参照）が印刷される。ユーザー設定画面２００の印画テストパターン欄２００ａにおいて、印画テストパターンＢ欄２００ａ−２が選択された場合には、青色（Ｃ）、赤色（Ｍ）ならびに黄色（Ｙ）の３色がそれぞれ最大濃度で単一の領域に混色となるように出力されて印画テストパターンＢ（図５（ｃ）参照）が印刷される。ユーザー設定画面２００の印画テストパターン欄２００ａにおいて、印画テストパターンＣ欄２００ａ−３が選択された場合には、黒色（Ｋ）が最大濃度で単一の領域に単色で出力されて印画テストパターンＣ（図５（ｄ）参照）が印刷される。ユーザー設定画面２００の印画テストパターン欄２００ａにおいて、印画テストパターンＤ欄２００ａ−４が選択された場合には、青色（Ｃ）、赤色（Ｍ）ならびに黄色（Ｙ）の３色がそれぞれ最大濃度で異なる領域に単色となるように出力されて印画テストパターンＤ（図５（ｅ）参照）が印刷される。ユーザー設定画面２００の印画テストパターン欄２００ａにおいて、印画テストパターンＥ欄２００ａ−５が選択された場合には、白色が最大濃度で単一の領域に単色で出力されて印画テストパターンＥ（図５（ｆ）参照）が印刷される。ユーザー設定画面２００の印画テストパターン欄２００ａにおいて、印画テストパターンＦ欄２００ａ−６が選択された場合には、青色（Ｃ）、赤色（Ｍ）ならびに黄色（Ｙ）の３色がそれぞれ最大濃度で２色ずつ異なる領域に混色となるように出力されて印画テストパターンＦ（図５（ｆ）参照）が印刷される。ユーザー設定画面２００の印画テストパターン欄２００ａにおいて、印画テストパターンＧ欄２００ａ−７が選択された場合には、青色（Ｃ）、赤色（Ｍ）ならびに黄色（Ｙ）の３色がそれぞれ最大濃度で互いに重なる部分を有する略円形形状の領域に出力されて印画テストパターンＧ（図５（ｈ）参照）が印刷される。
【００４６】
また、ユーザー設定画面２００の印画テストパターン欄２００ａにおいて、印画テストパターンＡ欄２００ａ−１と印画テストパターンＥ欄２００ａ−５とが選択された場合には、印画テストパターンＡ（図５（ｂ）参照）ならびに印画テストパターンＥ（図５（ｆ）参照）の複数の印画テストパターンが印刷される。即ち、ユーザー設定画面２００の印画テストパターン欄２００ａにおいては、ユーザーが任意の印画テストパターンを単数あるいは複数選択して設定可能なものである。
【００４７】
なお、上記した印画テストパターンＡ、Ｂ、Ｃ、Ｄ、Ｅ、Ｆ、Ｇはいずれも、それぞれの色彩のＵＶインクを最大濃度、即ち、１００％で出力しており、ＵＶインクの硬化が困難な条件を満たすようにして構成された印画テストパターンとなっている。
【００４８】
また、上記した印画テストパターンＡ、Ｂ、Ｃ、Ｄ、Ｅ、Ｆは、例えば、１０ｍｍ×１０ｍｍの略矩形形状の領域に印刷されるものであり（図５（ａ）参照）、印画テストパターンＧは略円形形状の領域に印刷されるようにしたが、これに限られるものではないことは勿論であり、印画テストパターンが印刷される領域の形状や大きさは適宜変更可能なものである。
【００４９】
また、ユーザー設定画面２００のスキャン・スピード欄２００ｂにおいて、ユーザーが操作子群３２のタッチパネルを指やペンなどで所定の位置を選択すると、マイクロ・コンピューター１００のＣＰＵ１０２の処理により、ユーザーによって選択されたエリアに応じたスキャン・スピードを示すスキャン・スピード・データがＲＯＭ１０４のスキャン・スピード記憶部１０４−３から読み出される。即ち、スキャン・スピード欄２００ｂにおいては、ユーザーが任意のスキャン・スピードを選択して設定可能なものである。
【００５０】
より詳細には、スキャン・スピード欄２００ｂの「標準」エリア２００ｂ−１が選択された場合には、ＣＰＵ１０２の処理により、標準のスキャン・スピードを示すスキャン・スピード・データがスキャン・スピード記憶部１０４−３から読み出される。
【００５１】
また、スキャン・スピード欄２００ｂは、「標準」エリア２００ｂ−１を基準にプラスマイナスの範囲でスキャン・スピードが設定可能なようになされており、ＣＰＵ１０２の処理により、「速い」エリア２００ｂ−２側が選択された場合には、標準のスキャン・スピードより速いスキャン・スピードを示すスキャン・スピード・データがスキャン・スピード記憶部１０４−３から読み出され、「遅い」エリア２００ｂ−３側が選択された場合には、標準のスキャン・スピードより遅いスキャン・スピードを示すスキャン・スピード・データがスキャン・スピード記憶部１０４−３から読み出される。
【００５２】
そして、インク・ジェット・プリンタ１０においては、マイクロ・コンピューター１００の制御により、スキャン・スピード記憶部１０４−３から読み出されたスキャン・スピード・データの示すスキャン・スピードに対応させて、所定のパラメーターに関しては設定変更を行うようになされている。
【００５３】
具体的には、インク・ヘッド２６−１〜２６−５のインク・ジェット・ノズルからＵＶインクを射出するタイミングに関するパラメーターであるヘッド駆動周波数（ファイヤーレイト）ならびに位置合わせ補正量の２つのパラメータが、スキャン・スピード記憶部１０４−３から読み出されたスキャン・スピード・データの示すスキャン・スピード、即ち、紫外線ランプ２８，３０が走査方向に移動する速度に応じて変更される。
【００５４】
ヘッド駆動周波数は、インク・ヘッド２６−１〜２６−５を動作させるための駆動周波数であり、スキャン・スピードと図６（ａ）に示すように正比例の関係を有するものである。こうしたヘッド駆動周波数を示すデータはパラメーター記憶部１０４−４に記憶されており、標準のスキャン・スピード（Ｓ）が設定されている場合には、標準のヘッド駆動周波数（Ｒ）が設定される。
【００５５】
そして、スキャン・スピードが標準のスキャン・スピード（Ｓ）から、標準のスキャン・スピード（Ｓ）の１／２のスキャン・スピード（Ｓ／２）に変更された場合には、標準のヘッド駆動周波数（Ｒ）から１／２のヘッド駆動周波数（Ｒ／２）に設定が変更される。
【００５６】
例えば、ヘッド駆動周波数１０ｋＨｚで、３６０ｄｐｉピッチで印刷するとき、スキャン・スピードはおよそ７０５．６ｍｍ／ｓ（＝２５．４／３６０×１００００）である。このスキャン・スピードが半分のスキャン・スピード（即ち、およそ３５２．８ｍｍ／ｓ）に変更されて、同じ３６０ｄｐｉピッチで印刷する場合には、その際のヘッド駆動周波数は５ｋＨｚ（＝１０／２）になる。
【００５７】
一方、位置合わせ補正量は、走査方向における行き方向と帰り方向との双方向においてインク・ジェット・ノズルからＵＶインクが射出されて行われる双方向印刷の場合に、行き方向と帰り方向とで記録紙上の同じ位置にＵＶインクの飛滴を落下させるため、行き方向における印刷でＵＶインクを射出する位置と帰り方向における印刷でＵＶインクを射出する位置とをずらす量であり、スキャン・スピードと図６（ｂ）に示すようにおよそ正比例の関係を有するものである。スキャン・スピードが速いほど位置合わせ補正量は多く、スキャン・スピードが遅いほど位置合わせ補正量が少なくなる。
【００５８】
こうした位置合わせ補正量を示すデータはパラメーター記憶部１０４−４に記憶されており、標準のスキャン・スピード（Ｓ）が設定されている場合には、標準の位置合わせ補正量（Ｐ）が設定される。
【００５９】
そして、スキャン・スピードが標準のスキャン・スピード（Ｓ）から、標準のスキャン・スピード（Ｓ）の１／２のスキャン・スピード（２／Ｓ）に変更された場合には、標準の位置合わせ補正量（Ｐ）から１／２の位置合わせ補正量（２／Ｐ）に設定が変更される。
【００６０】
以上の構成において、このインク・ジェット・プリンタ１０を用いて記録紙上に印刷を行う場合を説明する。ワイヤー２２の巻き取りによるワイヤー２２の移動に伴って、インク・ヘッド・ホルダー２４に配設されたインク・ヘッド２６−１〜２６−５と紫外線ランプ２８，３０とが一体的に、給紙装置（図示せず）によってベース部材１４上に供給された記録紙上を、走査方向における行き方向および帰り方向に往復移動する。
【００６１】
この際、走査方向における行き方向と帰り方向との双方向において往復移動するインク・ヘッド２６−１〜２６−５は、インク・ジェット・ノズルからインク・チューブによって搬送されたＵＶインクを射出し、射出されたＵＶインクの飛滴が記録紙上の所定の位置に落下する。
【００６２】
その後、インク・ヘッド２６−１〜２６−５のそれぞれから射出されて記録紙上の所定の位置に落下したＵＶインクの飛滴は、インク・ヘッド２６−１〜２６−５と一体的に移動する紫外線ランプ２８，３０からＵＶインクの飛滴が落下した記録紙上に照射された紫外線によって、記録紙上において硬化して、所定の印刷が双方向で行われる。
【００６３】
そして、このインク・ジェット・プリンタ１０においてスキャン・スピードは、ＵＶインクが硬化するのに十分な量の紫外線が紫外線ランプ２８，３０から記録紙上に照射されるように、工場出荷時などに予め標準のスキャン・スピード（図６（ａ）（ｂ）参照）が設定されている。従って、予め設定された標準のスキャン・スピードで走査方向にインク・ヘッド２６−１〜２６−５と紫外線ランプ２８，３０とが移動すれば、当該ＵＶインクの飛滴が落下した記録紙上には、紫外線ランプ２８，３０からＵＶインクが硬化するのに十分な量の紫外線が照射されて、記録紙上に落下したＵＶインクは完全に硬化し、上記したような双方向における印刷によって良好な印刷結果が得られるものである。
【００６４】
ここで、ユーザーは、例えば、インク・ジェット・プリンタ１０の使用して相当量の印刷を行った後など所定のタイミングで、操作子群３２の表示装置にユーザー設定画面２００（図４参照）を表示させる。そして、印画テストパターン欄２００ａにおいて、インク・ジェット・プリンタ１０で印刷のために設定されている印画モードや解像度などに応じて、任意の印画テストパターンを単数あるいは複数選択して設定し、それからテスト印刷開始欄２００ｃを選択する。
【００６５】
すると、印画テストパターン欄２００ａにおける選択に対応したテストパターン・データに基づいて、走査方向にインク・ヘッド２６−１〜２６−５と紫外線ランプ２８，３０とが移動して、所定の印画テストパターン、即ち、印画テストパターンＡ、Ｂ、Ｃ、Ｄ、Ｅ、Ｆ、Ｇ（図５（ｂ）〜（ｈ）参照）のいずれかが記録紙上に印刷される。
【００６６】
こうして印刷される印画テストパターンは、ＵＶインクが最も硬化し難い条件を満たすように構成されているものである。しかし、紫外線ランプ２８，３０の出力が予め標準のスキャン・スピードが設定されたとき、即ち、この実施の形態においては工場出荷時から変化していなければ、予め設定された標準のスキャン・スピードで走査方向にインク・ヘッド２６−１〜２６−５と紫外線ランプ２８，３０とが移動すれば、当該ＵＶインクの飛滴が落下した記録紙上には、紫外線ランプ２８，３０からＵＶインクが硬化するのに十分な量の紫外線が照射されるので、記録紙上に落下したＵＶインクは完全に硬化し、印画テストパターンは高品質に印刷される。
【００６７】
ところが、インク・ジェット・プリンタ１０が使用されて紫外線ランプ２８，３０の出力が経年変化によって低下していた場合には、予め設定された標準のスキャン・スピードで走査方向にインク・ヘッド２６−１〜２６−５と紫外線ランプ２８，３０とが移動しても、ＵＶインクの飛滴が落下した記録紙上には、紫外線ランプ２８，３０から十分な量の紫外線が照射されなくなってしまうので、記録紙上に落下したＵＶインクが完全に硬化せず、印画テストパターンは品質が低下することになる。
【００６８】
従って、ユーザーは、記録紙上に印刷された印画テストパターンを視認し、あるいは、印画テストパターンが印刷された記録紙の表面に触れるなどして、印刷された印画テストパターンの品質を確認する。
【００６９】
その結果、ＵＶインクが完全に硬化して高品質に印画テストパターンが印刷されていることが確認された場合には、通常の印刷を再開して継続することが可能である。
【００７０】
しかし、ＵＶインクの硬化が不完全で印画テストパターンの画質の低下が確認された場合には、そのまま通常の印刷を再開してしまうと印刷結果の低下を招くことになるので、ユーザーはユーザー設定画面２００のスキャン・スピード欄２００ｂにおいて、「遅い」エリア２００ｂ−３側を選択する。
【００７１】
すると、スキャン・スピードが予め設定されていた標準のスキャン・スピード（Ｓ）から、標準のスキャン・スピード（Ｓ）より遅いスキャン・スピードに変更される。また、こうしたスキャン・スピードの変更に伴って、ＣＰＵ１０２の処理により、ヘッド駆動周波数ならびに位置合わせ補正量の２つのパラメータも設定変更される（図６（ａ）（ｂ）参照）。
【００７２】
こうして新たにスキャン・スピードが設定され、そのスキャン・スピードに対応させて所定のパラメーターの設定変更が行われた後、ユーザー設定画面２００のテスト印刷開始欄２００ｃを選択して、再び印画テストパターンの印刷開始を指示する。すると、前回印画テストパターンを印刷したときよりも遅いスキャン・スピードで走査方向にインク・ヘッド２６−１〜２６−５と紫外線ランプ２８，３０とが移動し、設定変更されたヘッド駆動周波数や位置合わせ補正量に応じて、インク・ジェット・ノズルからＵＶインクが射出されて、印画テストパターンが印刷される。
【００７３】
その結果、紫外線ランプ２８，３０の出力は経年変化によって低下しているものの、標準のスキャン・スピードより遅いスキャン・スピードで走査方向にインク・ヘッド２６−１〜２６−５と紫外線ランプ２８，３０とが移動するので、当該ＵＶインクの飛滴が落下した記録紙上には、紫外線ランプ２８，３０からＵＶインクが硬化するのに十分な量の紫外線が照射されて、記録紙上に落下したＵＶインクは完全に硬化し、印画テストパターンは高品質に印刷される。
【００７４】
このように印画テストパターンの印刷を繰り返し、ユーザーによって、ＵＶインクが完全に硬化して高品質に印画テストパターンが印刷されていることが確認された後に通常の印刷を再開すれば、上記したような双方向における印刷などにおいて良好な印刷結果が得られるようになる。
【００７５】
上記したようにして、本発明によるインク・ジェット・プリンタ１０においては、ユーザー設定画面２００のスキャン・スピード欄２００ｂにおいてユーザーが任意のスキャン・スピードを選択して設定可能なようにしたため、設定された新たなスキャン・スピード、即ち、予め設定されていた標準のスキャン・スピード（Ｓ）とは異なるスキャン・スピードで、紫外線ランプ２８，３０が走査方向に移動するようになる。
【００７６】
このため、例えば、点灯時間が１０００時間を超えるなどして紫外線ランプ２８，３０の出力が経年変化によって低下していた場合には、紫外線ランプ２８，３０からＵＶインクが硬化するのに十分な量の紫外線が照射されるような速度となるように、スキャン・スピードを調整できるので、ＵＶインクのように光によって硬化するインクを用いて良好な印刷結果を得ることができる。
【００７７】
さらに、本発明によるインク・ジェット・プリンタ１０によれば、例えば白色のＵＶインクのように、その色彩の違いによって硬化し難い性質を有するＵＶインクや、銘柄による組成の違いなどから硬化特性の異なるＵＶインクなどの多様なＵＶインクを使用しても、その使用するＵＶインクに応じて、紫外線ランプ２８，３０からＵＶインクが硬化するのに十分な量の紫外線が照射されるような速度となるようにスキャン・スピードを調整できる。
【００７８】
従って、本発明によれば、種々のＵＶインクを使用しても画質を高品質に維持することができるようになり、インク・ジェット・プリンタ１０において使用可能なＵＶインクの幅を広げることもできる。また、現在の紫外線ランプ２８，３０の出力に応じた必要十分な最適のスキャン・スピードを適宜設定できるので、インク・ジェット・プリンタ１０のスループットがよく、効率の良い印刷出力を実現することもできる。
【００７９】
また、本発明によるインク・ジェット・プリンタ１０においては、ユーザー設定画面２００の印画テストパターン欄２００ａにおいてユーザーが任意の印画テストパターンを選択可能とし、ＵＶインクの硬化が困難な条件を満たすようにして構成された印画テストパターンが印刷されるようにした。このため、ユーザーが印刷された印画テストパターンを視認するなどして印画テストパターンのＵＶインクの硬化具合を確認して、現在設定されているスキャン・スピードが適切かを検討し、ユーザーは最適なスキャン・スピードを容易に見つけ出すことができ、スキャン・スピードの調整を非常に簡単に行うことができる。
【００８０】
この際、印刷される印画テストパターンは、ＵＶインクの硬化が困難な条件を満たすようにして構成されているので、こうした条件を満たす印画テストパターンが高品質に印刷されたことを確認して通常の印刷を行えば、高い精度で良好な印刷結果を得ることができる。
【００８１】
さらに、本発明によるインク・ジェット・プリンタ１０においては、スキャン・スピードに対応させてインク・ヘッド２６−１〜２６−５のインク・ジェット・ノズルからＵＶインクを射出するタイミングに関するパラメーターであるヘッド駆動周波数ならびに位置合わせ補正量を変更するようにしたため、スキャン・スピードの変更に追随して所定のパラメータも変更されて印刷が行われ、一層確実に良好な印刷結果を得ることができる。
【００８２】
なお、上記した実施の形態は、以下の（１）乃至（９）に説明するように変形してもよい。
【００８３】
（１）上記した実施の形態においては、５つのインク・ヘッド２６−１〜２６−５と２つの紫外線ランプ２８，３０とを有するようにしたが、これに限られるものではないことは勿論であり、印刷に必要な色彩や印画モードなどに応じて、インク・ヘッドや紫外線ランプの総数を増減させたり、複数のインク・ヘッドの並び順や紫外線ランプの配置位置なども適宜変更可能なものである。
【００８４】
例えば、上記した実施の形態においては、白色のインクが供給されるインク・ヘッド２６−１はただ１つ配設されるようにしたが、白色インク用のインク・ヘッドを２つ配設すれば、白色の最大濃度１００％の印画テストパターンＥ（図５（ｆ）参照）の他に、白色が最大濃度２００％で単一の領域に単色で出力される印画テストパターンも印刷することもできるようになる。
【００８５】
（２）上記した実施の形態においては、５つのインク・ヘッド２６−１〜２６−５と２つの紫外線ランプ２８，３０とはいずれも、インク・ヘッド・ホルダー２４に配設されて走査方向に一体的に移動可能なようにようにしたが、これに限られるものではないことは勿論であり、インク・ヘッドと紫外線ランプとをそれぞれ異なるキャリッジに配設することで別々に走査方向に移動するように構成してもよい。また、上記した実施の形態のようなインク・ヘッドと紫外線ランプとが配設されたインク・ヘッド・ホルダーを複数配設するようにしてもよく、要はインク・ヘッドの移動と同期させて紫外線ランプが移動可能な範囲で各種変更が可能なものである。
【００８６】
（３）上記した実施の形態においては、記録紙上に紫外線を照射する紫外線ランプ２８，３０とＵＶインクとを用いるようにしたが、これに限られるものではないことは勿論であり、紫外線とは異なる放射線の可視光や電子線あるいはその他の光を照射する手段を用い、媒体上に照射される光によって固化あるいは増粘する性質を有する各種インクを用いるようにしてもよい。
【００８７】
（４）上記した実施の形態においては、スキャン・スピードの設定内容に対応して、インク・ヘッド２６−１〜２６−５のインク・ジェット・ノズルからＵＶインクを射出するタイミングに関するパラメーターであるヘッド駆動周波数ならびに位置合わせ補正量が、可変されたスキャン・スピードに比例するようにして自動的に変更されるようにしたが、これに限られるものではないことは勿論であり、各種パラメーターがスキャン・スピードの設定内容に対応して変更可能なように構成してもよい。
【００８８】
また、位置合わせ補正量は、スキャン・スピードと図６（ｂ）に示すようにおよそ正比例の関係を有するものであるが、上記した実施の形態のように予めパラメーター記憶部１０４−４に記憶されたデータに基づいて、スキャン・スピードに比例するようにして自動的に変更するのに限られるものではないことは勿論である。例えば、スキャン・スピードの値毎にある程度細かく位置合わせ補正量を設定した補正用のテーブルを予めＲＯＭ１０４に用意しておき、スキャン・スピードの設定変更に応じて、当該補正テーブルに基づいた値に位置合わせ補正量を自動的に変更するようにしてもよい。
【００８９】
あるいは、スキャン・スピードを変更した場合には、操作子群３２の表示装置の画面に、位置合わせ補正量を変更するための設定画面が表示されるようにして、当該設定画面においてユーザーが任意に位置合わせ補正量を変更可能なようにしてもよい。このように、スキャン・スピードの設定内容に対応して変更するパラメーターのそれぞれについて詳細な設定変更を行う場合でも、印画テストパターンの印刷結果を確認しながら設定できるので非常に簡単に行うことができる。
【００９０】
こうして印画テストパターンの印刷結果に基づいて、スキャン・スピードや各種パラメータの設定変更を容易に行うことができるので、使用する媒体やインクの種類あるいはインク・ジェット・プリンタ１０の動作環境が変わっても、最適な条件で動作させて良好な印刷結果を維持することができる。
【００９１】
（５）上記した実施の形態においては、ユーザーが記録紙上に印刷された印画テストパターンを視認するなどして、印刷された印画テストパターンの品質を確認するようにしたが、これに限られるものではないことは勿論であり、上記したインク・ジェット・プリンタ１０においてさらに、印画テストパターンの品質を判断処理するための判断手段、例えば、画像解析システムなどを配設することにより、自動的に印画テストパターンの品質を判定するようにしてもよい。
【００９２】
そして、判断手段の判断処理の結果に基づいて、印画テストパターンの品質の低下が検出された場合には、ＣＰＵ１０２によりスキャン・スピードを変更するようにフィードバック処理を行うようにすれば、ユーザーが印画テストパターンを確認することなしに、紫外線ランプからＵＶインクが硬化するのに十分な量の紫外線が照射されるような速度にスキャン・スピードを自動的に調整できる。
【００９３】
（６）上記した実施の形態において、さらに、インク・ジェット・プリンタ１０に光センサーのような紫外線ランプ２８，３０の出力を検出する検出手段を配設するようにしてもよい。そして、当該検出手段からの検出結果に基づいて、紫外線ランプ２８，３０の出力の低下が検出された場合には、ＣＰＵ１０２によってスキャン・スピードを変更するようにフィードバック処理を行うことにより、自動的にスキャン・スピードが調整できる。この際、印画テストパターンは印刷するようにしてもよいし、あるいは、印画テストパターンを印刷することなしにスキャン・スピードを変更するようにしてもよい。
【００９４】
（７）上記した実施の形態において、さらに、インク・ジェット・プリンタ１０に紫外線ランプ２８，３０の点灯時間を計測するためのタイマー処理ルーチンのような計測手段を配設するようにしてもよい。そして、当該計測手段によって計測された点灯時間に応じて、例えば、点灯時間が１０００時間を超えている場合には、紫外線ランプ２８，３０の出力が経年変化によって低下してしまっているので、ＣＰＵ１０２によってスキャン・スピードを変更するようにフィードバック処理を行うことにより、自動的にスキャン・スピードが調整できる。
【００９５】
この際、現在の印刷条件に適した印画テストパターンが自動的に選択されて印刷されるようにしてもよいし、あるいは、印画テストパターンを印刷することなしにスキャン・スピードを変更するようにしてもよい。また、紫外線ランプ２８，３０の点灯時間に代えて、インク・ジェット・プリンタ１０の動作時間を計測するようにしてもよい。
【００９６】
（８）上記した実施の形態においては、インク・ジェット・プリンタ１０に配設された操作子群３２によって各種入力設定を行うようにしたが、これに限られるものではないことは勿論であり、インク・ジェット・プリンタに接続されたパーソナル・コンピューターなどの制御装置によって各種入力設定が可能なように構成してもよい。
【００９７】
（９）上記した実施の形態ならびに上記（１）乃至（８）に示す変形例は、適宜に組み合わせるようにしてもよい。
【産業上の利用可能性】
【００９８】
本発明は、ＵＶインクなどを使用して耐水性や擦過性に優れた印刷物を印刷する印刷装置などにおいて利用することができる。
【図面の簡単な説明】
【００９９】
【図１】本発明によるインク・ジェット・プリンタの実施の形態の一例を示す概略構成説明図である。
【図２】図１の要部を拡大的に示した説明図である。
【図３】本発明によるインク・ジェット・プリンタの全体の動作を制御するマイクロ・コンピューターの構成を示すブロック構成図である。
【図４】操作子群の表示装置の画面に表示されるユーザー設定画面の一例を示す説明図である。
【図５】（ａ）はテストパターン・データに基づいて記録紙上に印刷される印画テストパターンの一例を模式的に示す説明図であり、（ｂ）は印画テストパターンＡを模式的に示す説明図であり、（ｃ）は印画テストパターンＢを模式的に示す説明図であり、（ｄ）は印画テストパターンＣを模式的に示す説明図であり、（ｅ）は印画テストパターンＤを模式的に示す説明図であり、（ｆ）は印画テストパターンＥを模式的に示す説明図であり、（ｇ）は印画テストパターンＦを模式的に示す説明図であり、（ｈ）は印画テストパターンＧを模式的に示す説明図である。
【図６】（ａ）はスキャン・スピードとヘッド駆動周波数との関係を示すグラフであり、（ｂ）はスキャン・スピードと位置合わせ補正量との関係を示すグラフである。
【符号の説明】
【０１００】
１０              インク・ジェット・プリンタ
１２              基台部材
１４              ベース部材
１６Ｌ、１６Ｒ    側方部材
１８−１，１８−２，１８−３，１８−４，１８−５，１８−６    インク・カートリッジ
２０              中央壁
２２              ワイヤー
２４              インク・ヘッド・ホルダー
２６−１，２６−２，２６−３，２６−４，２６−５，２６−６    インク・ヘッド
２８，３０        紫外線ランプ
３２              操作子群
１００              マイクロ・コンピューター
【図１】
2005199630.tif 000003
【図２】
2005199630.tif 000004
【図３】
2005199630.tif 000005
【図４】
2005199630.tif 000006
【図５】
2005199630.tif 000007
【図６】
2005199630.tif 000008